(57)【要約】【課題】マニホールド給電方向を変更した時に書き換えられる制御プログラムのミスや、それによる誤作動を回避すること。【解決手段】各マニホールドブロック１４の左右に接続端子Ａ３〜Ａ１４，Ｂ１〜Ｂ１２を備え、電磁弁１ａ〜７ａ，１ｂ〜７ｂの少なくとも個数値だけ配列方向にずらして左右の接続端子（Ａ３〜Ａ１４，Ｂ１〜Ｂ１２）を電気的に接続する。左方の接続端子列Ａ上に、配列方向にずらして接続していない特定接続端子Ａ１，Ａ２を設けるとともに、右方の接続端子列Ｂにも配列方向にずらして接続していない特定接続端子Ｂ１３，Ｂ１４を設ける。左方の特定接続端子Ａ１，Ａ２のうち接続端子列Ａの一端側から数えて同一番目にあたる特定接続端子Ａ１，Ａ２と、右方の特定接続端子Ｂ１３，Ｂ１４のうち接続端子列Ｂの他端側から数えて同一番目にあたる特定接続端子Ｂ１４，Ｂ１３とを接続する。【選択図】　図５
2004100790.tif 000002
【特許請求の範囲】
【請求項１】
連設されるマニホールドブロックの左右に複数の接続端子を設けるとともに、１つのマニホールドブロックに搭載される電磁弁の少なくとも個数値だけ配列方向にずらして左右の接続端子をマニホールドブロック内で電気的に接続し、左方の接続端子列上で配列方向にずらして接続されていない左方の特定接続端子をそのマニホールドブロックに搭載される電磁弁に接続するとともに、該電磁弁を、右方の接続端子列上で配列方向にずらして接続されていない右方の特定接続端子にも電気的に接続した電磁弁マニホールドにおいて、
前記左方の特定接続端子のうち、接続端子列の一端側から数えて同一番目にある特定接続端子と、前記右方の特定接続端子のうち、接続端子列の他端側から数えて同一番目にある特定接続端子とを接続したことを特徴とする電磁弁マニホールド。
【請求項２】
連設されるマニホールドブロックの左右に複数の接続端子を設けるとともに、１つのマニホールドブロックに搭載される電磁弁の少なくとも個数値だけ配列方向にずらして左右の接続端子をマニホールドブロック内で電気的に接続し、各マニホールドブロック内で左右の接続端子が電気的に接続されていない左方の接続端子をそのマニホールドブロックに搭載される電磁弁に接続するとともに、該電磁弁を、各マニホールドブロック内で左右の接続端子が電気的に接続されていない右方の接続端子にも電気的に接続した電磁弁マニホールドにおいて、前記マニホールドブロックに隣接して省配線ブロックを設け、この省配線ブロックに左右同数の複数の給電端子を設け、省配線ブロックにおける左方の給電端子のうち、給電端子列の一端側から数えて奇数番目にある給電端子と、省配線ブロックにおける右方の給電端子のうち、給電端子列の一端側から数えて偶数番目にある給電端子とをそれらの配列順に接続するとともに、省配線ブロックにおける左方の給電端子のうち、給電端子列の一端側から数えて偶数番目にある給電端子と、省配線ブロックにおける右方の給電端子のうち、給電端子列の一端側から数えて奇数番目にある給電端子とをそれらの配列順に接続した電磁弁マニホールド。
【発明の詳細な説明】
【０００１】
【発明の属する技術分野】
本発明は、電磁弁を搭載したマニホールドブロックを複数連設して構成する電磁弁マニホールドに関するものである。
【０００２】
【従来の技術】
この種の電磁弁マニホールドは、設置メンテナンス性を向上させるため、片側から給電を一括して行う省配線タイプが主流になりつつある。近年、マニホールドブロックを高集積化するというニーズが高まっている。マニホールドに対して片側から給電するのみでは電気的接続点数が不足してくる場合があり、電磁弁マニホールドに対して両側から給電を行う事が必要になってきている。また、電磁弁マニホールドの設置場所に制約があると、通常給電する側とは反対側からのみ給電させる状況も発生する。これらの事情により、電磁弁マニホールドの両側から給電できる電磁弁マニホールドが従来から提案されている（例えば、特許文献１参照。）。
【０００３】
図１０に示すように、この電磁弁マニホールド５１は、連設されるマニホールドブロック５２に設けられた左右同数の複数の接続端子を、その配列方向にずらして電気的に接続している。その接続端子列のうち、左右の接続端子が電気的に接続されていないそれぞれの接続端子を、マニホールドブロックに搭載される電磁弁５３に接続している。このような配線構造としたことにより、省配線ブロック５４の左右位置を変更することで、左右いずれの連設端のマニホールドブロック５２からでも駆動指令信号を出力することが可能で、状況に応じて左右のいずれから駆動指令信号を出力するようにすべきかを選択できるようになっている。
【０００４】
この出願の発明に関連する先行技術文献情報としては次のようなものがある。
【０００５】
【特許文献１】
実用新案登録第２５１４０２号
【０００６】
【発明が解決しようとする課題】
マニホールドブロック５２がダブルソレノイドタイプであると、駆動指令信号の配列（以下、単に信号配列と言う）が１つのマニホールドブロック５２につき２つある。そのため、ダブルソレノイドタイプのみに着目した信号配列は、左側から給電するときが１ａ、１ｂ……であり、右側から給電するときが１ｂ、１ａ……である。つまり、左側から給電した場合には信号配列が「ａ・ｂ・ａ・ｂ……」と並ぶのに対し、右側から給電した場合には「ｂ・ａ・ｂ・ａ……」並ぶこととなる。要するに、給電する方向の違いにより信号配列の順番が相違する。そのため、使用者が制御プログラムを組む上で、混乱を生じさせてしまう。ひいては使用における誤動作を起こさせかねない。
【０００７】
本発明は、このような従来の技術に存在する問題点に着目してなされたものである。その目的は、マニホールド給電方向を変更するときに書き換えられる制御プログラムのミスや、それによる誤作動を回避することができる電磁弁マニホールドを提供することにある。
【０００８】
【課題を解決するための手段】
後記する実施形態の図面に記載されている符号を援用して本発明を説明する。
（請求項１の発明…第１実施形態に対応）
請求項１に記載の発明では、連設されるマニホールドブロック（１４）の左右に複数の接続端子（Ａ３〜Ａ１４，Ｂ１〜Ｂ１２）を設けるとともに、１つのマニホールドブロック（１４）に搭載される電磁弁（１ａ〜７ａ，１ｂ〜７ｂ）の少なくとも個数値だけ配列方向にずらして左右の接続端子（Ａ３〜Ａ１４，Ｂ１〜Ｂ１２）をマニホールドブロック（１４）内で電気的に接続し、左方の接続端子列（Ａ）上で配列方向にずらして接続されていない左方の特定接続端子（Ａ１，Ａ２）をそのマニホールドブロック（１４）に搭載される電磁弁（１ａ〜７ａ，１ｂ〜７ｂ）に接続するとともに、該電磁弁（１ａ〜７ａ，１ｂ〜７ｂ）を、右方の接続端子列（Ｂ）上で配列方向にずらして接続されていない右方の特定接続端子（Ｂ１３，Ｂ１４）にも電気的に接続した電磁弁マニホールドにおいて、前記左方の特定接続端子（Ａ１，Ａ２）のうち、接続端子列（Ａ）の一端側から数えて同一番目にある特定接続端子（Ａ１，Ａ２）と、前記右方の特定接続端子（Ｂ１３，Ｂ１４）のうち、接続端子列（Ｂ）の他端側から数えて同一番目にある特定接続端子（Ｂ１４，Ｂ１３）とを接続したことを特徴とする電磁弁マニホールド。
【０００９】
（請求項２の発明…第２実施形態に対応）
請求項２に記載の発明では、連設されるマニホールドブロック（１４）の左右に複数の接続端子（Ａ３〜Ａ１４，Ｂ１〜Ｂ１２）を設けるとともに、１つのマニホールドブロック（１４）に搭載される電磁弁（１ａ〜７ａ，１ｂ〜７ｂ）の少なくとも個数値だけ配列方向にずらして左右の接続端子（Ａ３〜Ａ１４，Ｂ１〜Ｂ１２）をマニホールドブロック（１４）内で電気的に接続し、左方の接続端子列（Ａ）上で配列方向にずらして接続されていない左方の特定接続端子（Ａ１，Ａ２）をそのマニホールドブロック（１４）に搭載される電磁弁（１ａ〜７ａ，１ｂ〜７ｂ）に接続するとともに、該電磁弁（１ａ〜７ａ，１ｂ〜７ｂ）を、右方の接続端子列（Ｂ）上で配列方向にずらして接続されていない右方の特定接続端子（Ｂ１３，Ｂ１４）にも電気的に接続した電磁弁マニホールドにおいて、前記マニホールドブロック（１４）に隣接して省配線ブロック（１５）を設け、この省配線ブロック（１５）に左右同数の複数の給電端子（Ｃ１〜Ｃ１４，Ｄ１〜Ｄ１４）を設け、省配線ブロック（１５）における左方の給電端子（Ｃ１〜Ｃ１４）のうち、給電端子列（Ｃ）の一端側から数えて奇数番目にある給電端子（Ｃ１，Ｃ３…）と、省配線ブロック（１５）における右方の給電端子（Ｄ１〜Ｄ１４）のうち、給電端子列（Ｄ）の一端側から数えて偶数番目にある給電端子（Ｄ２，Ｄ４…）とをそれらの配列順に接続するとともに、省配線ブロック（１５）における左方の給電端子（Ｃ１〜Ｃ１４）のうち、給電端子列（Ｃ）の一端側から数えて偶数番目にある給電端子（Ｃ２，Ｃ４…）と、省配線ブロック（１５）における右方の給電端子（Ｄ１〜Ｄ１４）のうち、給電端子列（Ｄ）の一端側から数えて奇数番目にある給電端子（Ｄ１，Ｄ３…）とをそれらの配列順に接続したことを要旨とする電磁弁マニホールド。
【００１０】
請求項１又は２に記載の発明によれば、左右いずれの連設端に省配線ブロック（１５）を配置し、マニホールドブロック（１４）を配列させていっても、電磁弁（１ａ〜７ａ，１ｂ〜７ｂ）に対して出力される駆動指令信号の信号配列が不規則にならない。特に、請求項１においては、シングルソレノイドタイプのマニホールドブロックが混在した場合でも、左右同じ駆動指令信号の配列を得ることができる。
【００１１】
【発明の実施の形態】
（第１実施形態）
以下、本発明を具体化した第１実施形態について、図面を参照して説明する。
【００１２】
図１に示すように、電磁弁マニホールド１０は、ＤＩＮレール１１上に配設された、エンドブロック１２、給排気ブロック１３、複数（７連）のマニホールドブロック１４及び省配線ブロック１５Ｌを備えている。各ブロック１２，１３，１４，１５Ｌは、ＤＩＮレール１１の長手方向に沿って連設されている。
【００１３】
各マニホールドブロック１４につき１つの流体圧機器（図示しない）がそれぞれ接続されており、各マニホールドブロック１４の側面に設けられた出力ポート１７，１８を介して各流体圧機器に対する圧力流体の給気と排気とがなされる。各マニホールドブロック１４は電気操作により２つの出力ポート１７，１８のうち一方が給気用となるか、他方が排気用となるかが交互に切り換えられ、流体圧機器が作動するようになっている。
【００１４】
前記出力ポート１７，１８の切り換えは、各マニホールドブロック１４にそれぞれ搭載された第１及び第２電磁弁機構１９ａ，１９ｂによって行われる。各第１電磁弁機構１９ａは第１電磁弁１ａ〜７ａを、各第２電磁弁機構１９ｂは第２電磁弁１ｂ〜７ｂをそれぞれ１つずつ有している。つまり、それぞれのマニホールドブロック１４につき、合計で２つの第１及び第２電磁弁１ａ〜７ａ，１ｂ〜７ｂを有していることから、ダブルソレノイドタイプのマニホールドブロック１４となっている。そして、前記省配線ブロック１５Ｌに設けられた多極コネクタ２０に接続される図示しない多極ケーブルを介して、各マニホールドブロック１４の各第１及び第２電磁弁機構１９ａ，１９ｂに給電がなされる。
【００１５】
図２，図３，図４に示すように、各マニホールドブロック１４の縁部において、第１及び第２電磁弁機構１９ａ，１９ｂの下側に位置する箇所には、左右両側が開口された収容孔２５が形成されている。この収容孔２５内には、それぞれの第１及び第２電磁弁機構１９ａ，１９ｂに接続されている配線回路２６が収容されている。配線回路２６の一側縁には、いずれも雌形である左方の特定接続端子Ａ１，Ａ２、左方の接続端子Ａ３〜Ａ１４、コモン端子ＡＣＯＭが同一配列線上に設けられている。配線回路２６の他側縁には、いずれも雄形である右方の接続端子Ｂ１〜Ｂ１２、右方の特定接続端子Ｂ１３，Ｂ１４、コモン端子ＢＣＯＭが設けられている。
【００１６】
図５に示すように、左方の接続端子Ａ３〜Ａ１４と、右方の接続端子Ｂ１〜Ｂ１２とは、１つのマニホールドブロック１４に設けられている第１及び第２電磁弁１ａ〜７ａ，１ｂ〜７ｂの個数値「２」だけ配列方向にずらして対応接続されている。左方の接続端子Ａ３〜Ａ１４の配列上に設けられている２つの特定接続端子Ａ１，Ａ２は、右方の接続端子Ｂ１〜Ｂ１２と１対１で対応接続されていない。従って、本実施形態では、各電磁弁１ａ〜７ａ，１ｂ〜７ｂに接続される左方の特定接続端子Ａ１，Ａ２が、特許請求の範囲に記載された「左方の接続端子列Ａ上で配列方向にずらして接続されていない左方の特定接続端子」を指す。そして、一方の特定接続端子Ａ１は、前記第１電磁弁１ａ〜７ａに接続され、他方の特定接続端子Ａ２は、前記第２電磁弁１ｂ〜７ｂに接続されている。
【００１７】
右方の接続端子Ｂ１〜Ｂ１２の配列上に設けられている２つの特定接続端子Ｂ１３，Ｂ１４は、左方の接続端子Ａ３〜Ａ１４と１対１で対応接続されていない。各電磁弁１ａ〜７ａ，１ｂ〜７ｂに接続される右方の特定接続端子Ｂ１３，Ｂ１４が、特許請求の範囲に記載された「右方の接続端子列Ｂ上で配列方向にずらして接続されていない右方の特定接続端子」を指す。そして、一方の特定接続端子Ｂ１４は第１電磁弁１ａ〜７ａに接続されており、他方の特定接続端子Ｂ１３は第２電磁弁１ｂ〜７ｂに接続されている。各電磁弁１ａ〜７ａ，１ｂ〜７ｂは、前記左右のコモン端子ＡＣＯＭ，ＢＣＯＭを介してコモン端子ＣＣＯＭに接続されている。
【００１８】
各電磁弁１ａ〜７ａ，１ｂ〜７ｂに接続される左方の特定接続端子Ａ１，Ａ２と、右方の特定接続端子Ｂ１４，Ｂ１３とは、前記配線回路２６に形成された回路パターンを介して次のような接続関係を有している。すなわち、左方の接続端子列Ａの一端側（図５の上側）から数えて１番目にあたる特定接続端子Ａ１と、右方の接続端子列Ｂの他端側（図５の下側）から数えて１番目にあたる特定接続端子Ｂ１４とが接続されている。左方の接続端子列Ａの一端側から数えて２番目にあたる特定接続端子Ａ２と、右方の接続端子列Ｂの他端側から数えて２番目にあたる特定接続端子Ｂ１３とが接続されている。要するに、左方の特定接続端子Ａ１，Ａ２と、右方の特定接続端子Ｂ１３，Ｂ１４とは、それらの接続端子列Ａ，Ｂの端部から数えて同一番目にあたる特定接続端子Ａ１，Ｂ１４（Ａ２，Ｂ１３）同士が接続されている。
【００１９】
図５，図６に示すように、前記省配線ブロック１５Ｌ，１５Ｒ内には、駆動指令信号が出力される給電端子Ｃ１〜Ｃ１４が設けられ、それらの給電端子Ｃ１〜Ｃ１４は、前記多極コネクタ２０の端子に接続されている。それらの給電端子Ｃ１〜Ｃ１４は、左右いずれの連設端にあるマニホールドブロック１４の接続端子Ａ３〜Ａ１４，Ｂ１〜Ｂ１２に対し接続可能となっている。連設群の左端に位置するマニホールドブロック１４には、省配線ブロック１５Ｌが連設使用される。一方、右端に位置するマニホールドブロック１４に省配線ブロック１５Ｒが連設使用される。なお、省配線ブロック１５Ｌには、各マニホールドブロック１４の左方のコモン端子ＡＣＯＭに接続されるコモン端子ＣＣＯＭが設けられている。省配線ブロック１５Ｒには、各マニホールドブロック１４の右方のコモン端子ＢＣＯＭに接続されるコモン端子ＣＣＯＭが設けられている。
【００２０】
なお、左方の接続端子列Ａとは、コモン端子ＡＣＯＭを除いたものであって、左方の特定接続端子Ａ１，Ａ２と左方の接続端子Ａ３〜Ａ１４とからなる端子群の配列をいう。又、右方の接続端子列Ｂとは、コモン端子ＢＣＯＭを除いたものであって、右方の接続端子Ｂ１〜Ｂ１２と右方の特定接続端子Ｂ１３，Ｂ１４とからなる端子群の配列をいう。更に、給電端子列Ｃは、コモン端子ＣＣＯＭを除いたものであって、給電端子Ｃ１〜Ｃ１４までの配列をいう。
【００２１】
図６に示すように、左方の連設端にあるマニホールドブロック１４に省配線ブロック１５Ｌが連設される場合には、給電端子Ｃ１，Ｃ２に左方の特定接続端子Ａ１，Ａ２が接続され、Ｃ３〜Ｃ１４に左方の接続端子Ａ３〜Ａ１４が接続される。この接続状態において、給電端子列Ｃのｎ番目にある給電端子Ｃｎから駆動指令信号出力されたとする。ここで、省配線ブロック１５Ｌに近い順から数えたマニホールドブロック１４の配列番号を１番、２番……７番とした場合において、ｎが奇数であるとき配列番号が「（ｎ＋１）／２」のマニホールドブロック１４に設けられた第１電磁弁機構１９ａが駆動される。例えば、給電端子列Ｃの一端側（図６の上側）から数えて３番目に位置する給電端子Ｃ３から駆動指令信号が出力されると、配列番号が２番にあたるマニホールドブロック１４の第１電磁弁機構１９ａが駆動される。
【００２２】
又、ｎが偶数であるとき、配列番号が「ｎ／２」のマニホールドブロック１４に設けられた第２電磁弁機構１９ｂが駆動される。例えば、給電端子列Ｃの一端側から数えて４番目に位置する給電端子Ｃ４から駆動指令信号が出力されると、配列番号が２番にあたるマニホールドブロック１４の第２電磁弁機構１９ｂが駆動される。
【００２３】
このように、ｎが奇数である場合には駆動される第１電磁弁機構１９ａ（第１電磁弁１ａ〜７ａ）が通電され、偶数である場合には駆動される第２電磁弁機構１９ｂ（第２電磁弁１ｂ〜７ｂ）が通電される。ここで、説明の便宜上、給電端子Ｃ１〜Ｃ１４から出力される駆動指令信号の信号配列に、第１及び第２電磁弁１ａ〜７ａ，１ｂ〜７ｂの符号を代用する。すると、その信号配列は、第１電磁弁１ａ〜７ａと第２電磁弁１ｂ〜７ｂとに対して交互に設定されるため、給電端子列Ｃの一端側の給電端子Ｃ１〜Ｃ１４から順に、「１ａ，１ｂ，２ａ，２ｂ……」となる。つまり、信号配列は各連とも「ａ」を最初にして、ａ，ｂ，ａ，ｂ…の順で設定されることとなる。
【００２４】
次いで、省配線ブロック１５Ｒを右方の連設端にあるマニホールドブロック１４に連設する場合には、給電端子Ｃ１〜Ｃ１２に右方の接続端子Ｂ１〜Ｂ１２が接続され、給電端子Ｃ１３，Ｃ１４に右方の特定接続端子Ｂ１３，Ｂ１４が接続される。この状態で給電端子列Ｃのｎ番目にある給電端子Ｃｎから駆動指令信号出力されたとすると、ｎが奇数であるとき配列番号が「（ｎ＋１）／２」のマニホールドブロック１４に設けられた第１及び第２電磁弁機構１９ａ，１９ｂが駆動される。又、ｎが偶数であるとき、配列番号が「ｎ／２」のマニホールドブロック１４に設けられた第１及び第２電磁弁機構１９ａ，１９ｂが駆動される。しかも、駆動指令信号の信号配列は、給電端子列Ｃの他端側の給電端子Ｃ１４〜Ｃ１から順に、「１ａ，１ｂ，２ａ，２ｂ……」となる。つまり、信号配列は各連とも「ａ」を最初にして、「ａ，ｂ，ａ，ｂ…」の順で設定されることとなる。
【００２５】
以上のことから、すべてのマニホールドブロック１４がダブルソレノイドタイプのみである場合には、省配線ブロック１５Ｌ，１５Ｒが左側に配置される場合と、右側に配置される場合とで駆動指令信号の信号配列が相違することはない。
【００２６】
電磁弁マニホールド１０の仕様変更などにより、ダブルソレノイドタイプであるマニホールドブロック１４のうち１つが、第１電磁弁１ａ〜７ａのみで構成されるシングルソレノイドタイプのマニホールドブロック１４に交換されたとする。ここでは、図７に示すように配列番号が２番のマニホールドブロック１４がシングルソレノイドに交換されたとする。この場合において、省配線ブロック１５Ｌが左方の連設端にあるマニホールドブロック１４に連設されていれば、駆動指令信号の信号配列は、給電端子列Ｃの一端側から順に、「１ａ，１ｂ，２ａ，３ａ，３ｂ，４ａ……」となり、各連とも「ａ」を最初にして設定される。
【００２７】
これに対して、省配線ブロック１５Ｒが右方に配置された場合にも、駆動指令信号の信号配列は、給電端子列Ｃの他端側の給電端子Ｃ１４〜Ｃ１から順に、「１ａ，１ｂ，２ａ，３ａ，３ｂ，４ａ……」となる。つまり、信号配列は各連とも「ａ」を最初にして設定される。以上のことから、複数あるマニホールドブロック１４のうちシングルソレノイドタイプとダブルソレノイドタイプとが混在していても、信号配列は各連とも必ず「ａ」から始まるので不規則にならない。
【００２８】
従って、本実施形態によれば以下のような効果を得ることができる。
（１）左方の特定接続端子Ａ１，Ａ２と、右方の特定接続端子Ｂ１３，Ｂ１４とは、それらの接続端子列Ａ，Ｂの端部から数えて同一番目にあるもの同士が接続されている。このような構成としたことにより、左側の連設端にあるマニホールドブロック１４に省配線ブロック１５Ｌを連設した場合と、右側の連設端にあるマニホールドブロック１４に省配線ブロック１５Ｒを連設した場合とで、駆動指令信号の信号配列の順番がいずれも同じになる。そのため、電磁弁マニホールド１０の給電方向を変更することがあっても、駆動指令信号の信号配列の理解が容易となる。よって、電磁弁マニホールド１０を制御するプログラムの書き換えミスが低減され、それによる電磁弁マニホールド１０の誤作動を防止することができる。
【００２９】
（２）ダブルソレノイドを有するマニホールドブロック１４と、シングルソレノイドを有するマニホールドブロック１４とを混在させるように連設しても、駆動指令信号の信号配列は各連とも「ａ」を最初にして設定されるため、信号配列が不規則になるのを防止することができる。
【００３０】
（第２実施形態）
第２実施形態を、前記実施形態と異なる部分を中心に説明する。
図８，図９に示すように、左方の接続端子列Ａの一端側（図８の上側）から数えて１番目にあたる特定接続端子Ａ１と、右方の接続端子列Ｂの他端側（図８の下側）から数えて２番目にあたる特定接続端子Ｂ１３とが接続されている。又、左方の接続端子列Ａの一端側から数えて２番目にあたる特定接続端子Ａ２と、右方の接続端子列Ｂの他端側から数えて１番目にあたる特定接続端子Ｂ１４とが接続されている。
【００３１】
省配線ブロック１５Ｒには、図示しない配線基板が設けられ、この配線基板上には雌形の給電端子Ｃ１〜Ｃ１４と、それと同数なる雄形の給電端子Ｄ１〜Ｄ１４が実装されている。左方の給電端子Ｃ１〜Ｃ１４と、右方の給電端子Ｄ１〜Ｄ１４とは、上述した図示しない配線基板の回路パターンを介して接続されている。これらの給電端子Ｃ１〜Ｃ１４，Ｄ１〜Ｄ１４の接続関係は次のようになっている。
【００３２】
すなわち、左方の給電端子列Ｃの一端側（図８の上側）から数えて奇数番目にある給電端子Ｃ１，Ｃ３…と、右方の給電端子列Ｄの一端側から数えて偶数番目にある給電端子Ｄ２，Ｄ４…とは、それらの配列順に接続されている。左方の給電端子列Ｃの一端側から数えて偶数番目にある給電端子Ｃ２，Ｃ４…と、右方の給電端子列Ｄの一端側から数えて奇数番目にある給電端子Ｄ１，Ｄ３…とは、それらの配列順に接続されている。なお、省配線ブロック１５Ｒには、マニホールドブロック１４のコモン端子ＡＣＯＭ，ＢＣＯＭに接続されるコモン端子ＣＣＯＭ，ＤＣＯＭが設けられている。
【００３３】
さて、図９に示すように、右方の連設端にあるマニホールドブロック１４に省配線ブロック１５Ｒが連設される場合には、左方の給電端子Ｃ１〜Ｃ１２は右方の接続端子Ｂ１〜Ｂ１２に接続されるとともに、残りの給電端子Ｃ１３，Ｃ１４は右方の特定接続端子Ｂ１３，Ｂ１４に接続される。この接続状態において、駆動指令信号の信号配列は、給電端子列Ｃの他端側の給電端子Ｃ１４〜Ｃ１から順に、第１電磁弁１ａ〜７ａと第２電磁弁１ｂ〜７ｂとに対して交互に設定され、不規則にはならない。
【００３４】
これに対して、図示しないが、左方の連設端にあるマニホールドブロック１４に省配線ブロック１５Ｌが連設されるとき、右方の給電端子Ｄ３〜Ｄ１４は左方の接続端子Ａ３〜Ａ１４に接続されるとともに、残りの給電端子Ｃ１，Ｃ２は左方の特定接続端子Ａ１，Ａ２に接続される。この接続状態においても、第１電磁弁１ａ〜７ａと第２電磁弁１ｂ〜７ｂとに出力される駆動指令信号の信号配列は、不規則にならない。
【００３５】
従って、この第２実施形態においても、すべてのマニホールドブロック１４がダブルソレノイドタイプのみである場合においては、省配線ブロック１５Ｌが左側に配置される場合と、右側に配置される場合とで駆動指令信号の信号配列を同じにすることができる。
【００３６】
（別の実施形態）
本発明の実施形態は以下のように変更してもよい。
・マニホールドブロック１４の連設数が給電端子Ｃ１〜Ｃ１４の総数よりも大きい場合には、２つの省配線ブロック１５Ｌ，１５Ｒを、左右両方の連設端に位置するマニホールドブロック１４に接続することも可能である。
【００３７】
次に、特許請求の範囲に記載された技術的思想のほかに、前述した実施形態によって把握される技術的思想を以下に示す。
（１）　請求項１又は２において、前記左右の特定接続端子（Ａ１，Ａ２，Ｂ１３，Ｂ１４）は、配線回路（２６）上に設けられ、前記配線回路（２６）に形成された配線パターンを介して接続される電磁弁マニホールド。この構成にすれば、電磁弁マニホールドの大型化を防止できるとともに、コスト上昇を防ぐことができる。
【００３８】
（２）　前記（１）において、前記配列方向にずらしてマニホールドブロック（１４）内で電気的に接続される左右の接続端子（Ａ３〜Ａ１４，Ｂ１〜Ｂ１２）は、前記配線回路（２６）に形成された配線パターンによって接続される電磁弁マニホールド。この構成にすれば、電磁弁マニホールドの大型化を防止できるとともに、コスト上昇を防ぐことができる。
【００３９】
（３）　連設されるマニホールドブロック（１４）の左右に複数の接続端子（Ａ３〜Ａ１４，Ｂ１〜Ｂ１２）を設けるとともに、１つのマニホールドブロック（１４）に搭載される電磁弁（１ａ〜７ａ，１ｂ〜７ｂ）の少なくとも個数値だけ配列方向にずらして左右の接続端子（Ａ３〜Ａ１４，Ｂ１〜Ｂ１２）をマニホールドブロック（１４）内で電気的に接続し、左方の接続端子列（Ａ）上で配列方向にずらして接続されていない左方の特定接続端子（Ａ１，Ａ２）をそのマニホールドブロック（１４）に搭載される電磁弁（１ａ〜７ａ，１ｂ〜７ｂ）に接続するとともに、該電磁弁（１ａ〜７ａ，１ｂ〜７ｂ）を、右方の接続端子列（Ｂ）上で配列方向にずらして接続されていない右方の特定接続端子（Ｂ１３，Ｂ１４）にも電気的に接続した電磁弁マニホールドにおいて、前記左方の特定接続端子（Ａ１，Ａ２）と、前記右方の特定接続端子（Ｂ１３，Ｂ１４）のうち、接続端子列（Ａ，Ｂ）の端部から数えて同一番目にあたる特定接続端子（Ａ１とＢ１４，Ａ２とＢ１３）同士を接続したことを特徴とする電磁弁マニホールド。
【００４０】
【発明の効果】
本発明によれば、マニホールド給電方向を変更するときに書き換えられる制御プログラムのミスや、それによる誤作動を回避することができる。
【図面の簡単な説明】
【図１】第１実施形態における電磁弁マニホールドの斜視図。
【図２】マニホールドブロックの連設を解放した斜視図。
【図３】マニホールドブロックに設けられる接続端子を示す斜視図。
【図４】省配線ブロックとマニホールドブロックとの接続関係を模式的に示す図。
【図５】マニホールドブロックの配線図。
【図６】給電方向を変更した場合におけるマニホールドブロックの配線図。
【図７】ダブルソレノイドとシングルソレノイドとを混在した場合におけるマニホールドブロックの配線図。
【図８】第２実施形態においてマニホールドブロックの連設を解放した状態の配線図。
【図９】マニホールドブロックを連設した状態の配線図。
【図１０】従来技術における電磁弁マニホールドの配線図。
【符号の説明】
１ａ〜７ａ，１ｂ〜７ｂ…電磁弁、１０…電磁弁マニホールド、１４…マニホールドブロック、１５Ｌ，１５Ｒ…省配線ブロック、Ａ３〜Ａ１４，Ｂ１〜Ｂ１２…接続端子、Ａ１，Ａ２，Ｂ１３，Ｂ１４…特定接続端子、Ａ，Ｂ…接続端子列、Ｃ１〜Ｃ１４，Ｄ１〜Ｄ１４…給電端子、Ｃ，Ｄ…給電端子列。
【図１】
2004100790.tif 000003
【図２】
2004100790.tif 000004
【図３】
2004100790.tif 000005
【図４】
2004100790.tif 000006
【図５】
2004100790.tif 000007
【図６】
2004100790.tif 000008
【図７】
2004100790.tif 000009
【図８】
2004100790.tif 000010
【図９】
2004100790.tif 000011
【図１０】
2004100790.tif 000012